(57)【特許請求の範囲】
【請求項１】
記憶媒体から第１の映像データを再生する再生手段と、
受信側の映像処理装置でデコード可能な映像データであり、かつ、前記受信側の映像処理装置において前記第１の映像データを見ることができない原因をユーザに通知するための映像データである第２の映像データを格納する格納手段と、
前記受信側の映像処理装置でデコード可能なデータフォーマットを検出し、前記第１の映像データのデータフォーマットを検出し、前記第１の映像データのデータフォーマットが前記受信側の映像処理装置でデコード可能なデータフォーマットであるか否かを判定する制御手段と、
前記第１の映像データ又は前記第２の映像データを前記受信側の映像処理装置に送信する送信手段とを有し、
前記第１の映像データのデータフォーマットが前記受信側の映像処理装置でデコード可能なデータフォーマットであると判定された場合、前記送信手段は、前記第１の映像データを前記受信側の映像処理装置に送信し、
前記第１の映像データのデータフォーマットが前記受信側の映像処理装置でデコード可能なデータフォーマットでないと判定された場合、前記送信手段は、前記第１の映像データを前記受信側の映像処理装置に送信するのではなく、前記第２の映像データを前記受信側の映像処理装置に送信することを特徴とする映像処理装置。
【請求項２】
前記第１の映像データのデータフォーマットが前記受信側の映像処理装置でデコード可能なデータフォーマットでないと判定された場合、前記送信手段は、前記第１の映像データの再生が終了するまでの期間、前記第２の映像データを繰り返し前記受信側の映像処理装置に送信することを特徴とする請求項１に記載の映像処理装置。
【請求項３】
前記第１の映像データのデータフォーマットは、ＤＶ規格のＳＤＬフォーマットであり、
前記第２の映像データのデータフォーマットは、ＤＶ規格のＳＤフォーマットであることを特徴とする請求項１又は２に記載の映像処理装置。
【請求項４】
前記第１の映像データのデータフォーマットは、ＭＰＥＧ−２フォーマットであり、
前記第２の映像データのデータフォーマットは、ＤＶ規格のＳＤフォーマットであることを特徴とする請求項１又は２に記載の映像処理装置。
【請求項５】
前記映像処理装置は、ディジタルビデオレコーダ、カメラ一体型ディジタルビデオレコーダ、ＡＶハードディスク又はパーソナルコンピュータであることを特徴とする請求項１から４のいずれか１項に記載の映像処理装置。
【発明の詳細な説明】
【０００１】
【発明の属する技術分野】
本発明は、記憶媒体から再生された映像データを受信側の映像処理装置に送信する映像処理装置に関する。
【０００２】
【従来の技術】
図５は、従来のＡＶ（audio video）システムの一例を示す図である。５０１は送信側の映像処理装置、５０２は受信側の映像処理装置である。映像処理装置５０１と映像処理装置５０２とは、ＩＥＥＥ１３９４−１９９５規格に準拠したディジタルインターフェースを介して接続されている。５０３は映像処理装置５０１の表示器、５０４は映像処理装置５０２の表示器である。
【０００３】
映像処理装置５０１は、記憶媒体から再生された映像データをデコードすることなく映像処理装置５０２に送信する。これと同時に、映像処理装置５０１は、記憶媒体から再生された映像データをデコードし、その結果を表示器５０３に表示する。一方、映像処理装置５０２は、映像処理装置５０１から映像処理装置５０２に送信された映像データをリアルタイムにデコードし、その結果を表示器５０４に表示する。映像処理装置５０１から映像処理装置５０２に送信された映像データのデータフォーマットが映像処理装置５０２でデコード可能なデータフォーマットであった場合、表示器５０３にも表示器５０４にもデコードされた映像データが表示される。
【０００４】
【発明が解決しようとする課題】
しかしながら、図５に示す従来のＡＶシステムでは、映像処理装置５０１から映像処理装置５０２に送信された映像データのデータフォーマットが映像処理装置５０２でデコード可能でないデータフォーマットであった場合、表示器５０３にはデコードされた映像データが表示されるが、表示器５０４には映像が表示されないという問題があった。この場合、ユーザは、表示器５０４に映像が表示されなくなった原因を容易に識別することができなかった。つまり、映像処理装置５０２が映像データを正常に受信できなかったために表示器５０４に映像が表示されなくなったのか、それとも、映像データのデータフォーマットが映像処理装置５０２でデコードできないデータフォーマットであったために表示器５０４に映像が表示されなくなったのかを容易に識別することができなかった。
【０００５】
本発明は、上述の問題に鑑みてなされたものであり、受信側の映像処理装置の表示器に送信側の映像処理装置が再生している映像が表示されなくなった原因をユーザに通知できるようにすることを目的とする。
【０００６】
【課題を解決するための手段】
本発明に係る映像処理装置は、記憶媒体から第１の映像データを再生する再生手段と、受信側の映像処理装置でデコード可能な映像データであり、かつ、前記受信側の映像処理装置において前記第１の映像データを見ることができない原因をユーザに通知するための映像データである第２の映像データを格納する格納手段と、前記受信側の映像処理装置でデコード可能なデータフォーマットを検出し、前記第１の映像データのデータフォーマットを検出し、前記第１の映像データのデータフォーマットが前記受信側の映像処理装置でデコード可能なデータフォーマットであるか否かを判定する制御手段と、前記第１の映像データ又は前記第２の映像データを前記受信側の映像処理装置に送信する送信手段とを有し、前記第１の映像データのデータフォーマットが前記受信側の映像処理装置でデコード可能なデータフォーマットであると判定された場合、前記送信手段は、前記第１の映像データを前記受信側の映像処理装置に送信し、前記第１の映像データのデータフォーマットが前記受信側の映像処理装置でデコード可能なデータフォーマットでないと判定された場合、前記送信手段は、前記第１の映像データを前記受信側の映像処理装置に送信するのではなく、前記第２の映像データを前記受信側の映像処理装置に送信することを特徴とする。
【０００７】
【発明の実施の形態】
以下、添付図面を参照し、本発明に好適な実施の形態を説明する。
【０００８】
図１は、本実施の形態における映像処理システムの主要な構成を説明する図である。本実施の形態では、ＤＶ（ディジタルビデオ）規格のＳＤフォーマットに準拠した映像データを「ＳＤデータ」と呼び、同規格のＳＤＬフォーマットに準拠した映像データを「ＳＤＬデータ」と呼び、ＭＰＥＧ−２フォーマットに準拠した映像データを「ＭＰＥＧ−２データ」と呼ぶ。
【０００９】
１００は、ＳＤデータ、ＳＤＬデータ及びＭＰＥＧ−２データをデコードすることなく外部の映像処理装置に送信する映像処理装置である。映像処理装置１００は、ディジタルビデオレコーダ、カメラ一体型ディジタルビデオレコーダ、ＡＶハードディスク、パーソナルコンピュータなどの映像処理装置により実現可能である。
【００１０】
１１０は、ＳＤデータ及びＭＰＥＧ−２データをデコードすることができる映像処理装置である。映像処理装置１１０は、ディジタルビデオレコーダ、カメラ一体型ディジタルビデオレコーダ、ＡＶハードディスク、パーソナルコンピュータ、ディジタルテレビジョン装置などの映像処理装置により実現可能である。
【００１１】
１２０は、ＳＤデータ及びＳＤＬデータをデコードすることができる映像処理装置である。映像処理装置１２０も映像処理装置１１０と同様に、ディジタルビデオレコーダ、カメラ一体型ディジタルビデオレコーダ、ＡＶハードディスク、パーソナルコンピュータ、ディジタルテレビジョン装置などの映像処理装置により実現可能である。
【００１２】
次に、図１を参照し、映像処理装置１００の主要な構成について説明する。
【００１３】
１０１は、磁気テープ、磁気ディスク、光磁気ディスク、ハードディスクなどの記憶媒体である。記憶媒体１０１には、ＳＤデータ、ＳＤＬデータ及びＭＰＥＧ−２データが混在する。１０２は、記憶媒体１０１に記憶されたＳＤデータ、ＳＤＬデータまたはＭＰＥＧ−２データを選択的に再生する再生部である。
【００１４】
１０３は、ＳＤフォーマットに準拠した警告映像データを格納するメモリである。警告映像データは２種類あり、第１の警告映像データは、映像処理装置１００がＳＤＬデータを再生していることを示し、第２の警告映像データは、映像処理装置１００がＭＰＥＧ−２データを再生していることを示す。第１の警告映像データの一例を図４（ａ）に示し、第２の警告映像データの一例を図４（ｂ）に示す。図４（ａ）に示す第１の警告映像データは、映像処理装置１００がＳＤＬデータを再生していることを示す。また、図４（ｂ）に示す第２の警告映像データは、映像処理装置１００がＭＰＥＧ−２データを再生していることを示す。
【００１５】
１０４は、ＩＥＥＥ１３９４−１９９５規格に準拠したディジタルインターフェースである。ディジタルインターフェース１０４は、アイソクロナス転送モードを用いて、ＳＤデータ、ＳＤＬデータまたはＭＰＥＧ−２データを送信する。
【００１６】
１０５は、マイクロコンピュータと記憶媒体とを備えた制御部である。制御部１０５は、映像処理装置１００の動作を制御するだけでなく、記憶媒体１０１から再生された映像データのデータフォーマットの種類を判別する。
【００１７】
次に、図１を参照し、映像処理装置１１０の主要な構成について説明する。
【００１８】
１１１は、ＩＥＥＥ１３９４−１９９５規格に準拠したディジタルインターフェースである。１１２は、ＳＤデータをデコードするＳＤデコーダである。１１３は、ＭＰＥＧ−２データをデコードするＭＰＥＧ−２デコーダである。１１４は、ＳＤデコーダ１１２でデコードされたＳＤデータ、または、ＭＰＥＧ−２デコーダ１１３でデコーダされたＭＰＥＧ−２データを表示する表示器である。なお、表示器１１４は、映像処理装置１１０に内蔵されたものであっても、映像処理装置１２０に外付けされたものであってもよい。
【００１９】
次に、図１を参照し、映像処理装置１２０の主要な構成について説明する。
【００２０】
１２１は、ＩＥＥＥ１３９４−１９９５規格に準拠したディジタルインターフェースである。１２２は、ＳＤデータをデコードするＳＤデコーダである。１２３は、ＳＤＬデータをデコードするＳＤＬデコーダである。１２４は、ＳＤデコーダ１２２でデコードされたＳＤデータ、または、ＳＤＬデコーダ１２３でデコーダされたＳＤＬデータを表示する表示器である。なお、表示器１２４は、映像処理装置１２０に内蔵されたものであっても、映像処理装置１２０に外付けされたものであってもよい。
【００２１】
次に、図２を参照し、本実施の形態における映像処理システムの主要な処理手順を説明する。図２では、映像処理装置１１０または映像処理装置１２０を通信相手とする場合の処理手順について説明する。
【００２２】
ステップＳ２０１：制御部１０５は、ユーザによって選択された通信相手を判別する。通信相手が映像処理装置１１０である場合、本フローチャートはステップＳ２０２に進む。一方、通信相手が映像処理装置１２０である場合、本フローチャートはステップＳ２０８に進む。
【００２３】
ステップＳ２０２：ディジタルインターフェース１０４は、デコード可能なデータフォーマットを問い合せるリクエストパケットを映像処理装置１１０に送信する。映像処理装置１１０は、ＳＤフォーマット及びＭＰＥＧ−２フォーマットのデコードが可能であることを示す制御データを含むレスポンスパケットを映像処理装置１００に送信する。ディジタルインターフェース１０４は、そのレスポンスパケットに含まれる制御データを制御部１０５に供給する。制御部１０５は、その制御データを解析し、映像処理装置１１０でデコード可能なデータフォーマットの種類を検出する。つまり、映像処理装置１１０では、ＳＤフォーマット及びＭＰＥＧ−２フォーマットがデコード可能であることを検出する。
【００２４】
ステップＳ２０３：再生部１０２は、ユーザによって選択された複数の映像データを記録媒体１０１から順次再生する。
【００２５】
ステップＳ２０４：制御部１０５は、記憶媒体１０１から再生された映像データのデータフォーマットの種類を判別する。例えば、ＤＶ規格では、映像データのシステムデータにその映像データのデータフォーマットの種類（即ち、ＳＤフォーマット、ＳＤＬフォーマット）が記録されているので、制御部１０５は、そのシステムデータを解析すればよい。映像データのデータフォーマットがＳＤフォーマットまたはＭＰＥＧ−２フォーマットである場合、本フローチャートはステップＳ２０５に進む。一方、データフォーマットがＳＤＬフォーマットである場合、本フローチャートはステップＳ２０６に進む。
【００２６】
ステップＳ２０５：ディジタルインターフェース１０４は、記憶媒体１０１から再生されたＳＤデータまたはＭＰＥＧ−２データを映像処理装置１１０に送信する。映像処理装置１１０は、映像処理装置１００から送信されたＳＤデータまたはＭＰＥＧ−２をリアルタイムにデコードし、その結果を表示器１１４に表示する。ユーザは、表示器１１４に表示された映像を見ることにより、記憶媒体１０１から再生されたＳＤデータまたはＭＰＥＧ−２の内容をリアルタイムに確認することができる。
【００２７】
ステップＳ２０６：ディジタルインターフェース１０４は、メモリ１０３から読み出された第１の警告映像データをＳＤＬデータの替わりに映像処理装置１１０に送信する。第１の警告映像データは、ＳＤＬデータの再生が終了するまでの期間、映像処理装置１００から映像処理装置１１０に繰り返し送信される。映像処理装置１１０は、第１の警告映像データをデコードし、その結果を表示器１１４に表示する。表示器１１４には、例えば、図４（ａ）に示すような警告映像が表示されるので、表示器１１４に映像が表示されなくなった原因をユーザに通知することができる。
【００２８】
ステップＳ２０７：制御部１０５は、記憶媒体１０１の再生を終了するか否かを判別する。次に再生する映像データがある場合、本フローチャートはステップＳ２０４に進む。一方、記憶媒体１０１の再生を終了する場合、本フローチャートは終了する。
【００２９】
ステップＳ２０８：ディジタルインターフェース１０４は、デコード可能なデータフォーマットを問い合せるリクエストパケットを映像処理装置１２０に送信する。映像処理装置１２０は、ＳＤフォーマット及びＳＤＬフォーマットがデコードできることを示す制御データを含むレスポンスパケットを映像処理装置１００に送信する。ディジタルインターフェース１０４は、そのレスポンスパケットに含まれる制御データを制御部１０５に供給する。制御部１０５は、その制御データを解析し、映像処理装置１２０でデコード可能なデータフォーマットの種類を検出する。つまり、映像処理装置１２０では、ＳＤフォーマット及びＳＤＬフォーマットがデコード可能であることを検出する。
【００３０】
ステップＳ２０９：再生部１０２は、ユーザによって選択された複数の映像データを記録媒体１０１から順次再生する。
【００３１】
ステップＳ２１０：制御部１０５は、記憶媒体１０１から再生された映像データのデータフォーマットの種類を判別する。例えば、ＤＶ規格では、映像データのシステムデータにその映像データのデータフォーマットの種類（即ち、ＳＤフォーマット、ＳＤＬフォーマット）が記録されているので、制御部１０５は、そのシステムデータを解析すればよい。映像データのデータフォーマットがＳＤフォーマットまたはＳＤＬフォーマットである場合、本フローチャートはステップＳ２１１に進む。一方、データフォーマットがＭＰＥＧ−２フォーマットである場合、本フローチャートはステップＳ２１２に進む。
【００３２】
ステップＳ２１１：ディジタルインターフェース１０４は、記憶媒体１０１から再生されたＳＤデータまたはＳＤＬデータを映像処理装置１２０に送信する。映像処理装置１２０は、映像処理装置１００から送信されたＳＤデータまたはＳＤＬデータをリアルタイムにデコードし、その結果を表示器１２４に表示する。ユーザは、表示器１２４に表示された映像を見ることにより、記憶媒体１０１から再生されたＳＤデータまたはＳＤＬデータの内容をリアルタイムに確認することができる。
【００３３】
ステップＳ２１２：ディジタルインターフェース１０４は、メモリ１０３から読み出された第２の警告映像データをＭＰＥＧ−２データの替わりに映像処理装置１２０に送信する。第２の警告映像データは、ＭＰＥＧ−２データの再生が終了するまでの期間、映像処理装置１００から映像処理装置１２０に繰り返し送信される。映像処理装置１２０は、第２の警告映像データをデコードし、その結果を表示器１２４に表示する。表示器１２４には、例えば、図４（ｂ）に示すような警告映像が表示されるので、表示器１２４に映像が表示されなくなった原因をユーザに通知することができる。
【００３４】
ステップＳ２１３：制御部１０５は、記憶媒体１０１の再生を終了するか否かを判別する。次に再生する映像データがある場合、本フローチャートはステップＳ２１０に進む。一方、記憶媒体１０１の再生を終了する場合、本フローチャートは終了する。
【００３５】
次に、図３を参照し、本実施の形態における映像処理システムの主要な処理手順の他の一例を説明する。図３では、映像処理装置１１０及び映像処理装置１２０を通信相手とする場合の処理手順について説明する。
【００３６】
ステップＳ３０１：ディジタルインターフェース１０４は、デコード可能なデータフォーマットを問い合せるリクエストパケットを映像処理装置１１０及び映像処理装置１２０に送信する。映像処理装置１１０は、ＳＤフォーマット及びＭＰＥＧ−２フォーマットのデコードが可能であることを示す制御データを含むレスポンスパケットを映像処理装置１００に送信する。一方、映像処理装置１２０は、ＳＤフォーマット及びＳＤＬフォーマットのデコードが可能であることを示す制御データを含むレスポンスパケットを映像処理装置１００に送信する。ディジタルインターフェース１０４は、各レスポンスパケットに含まれる制御データを制御部１０５に供給する。制御部１０５は、それらの制御データを解析し、映像処理装置１１０でデコード可能なデータフォーマットの種類と映像処理装置１２０でデコード可能なデータフォーマットの種類を検出する。つまり、映像処理装置１１０では、ＳＤフォーマット及びＭＰＥＧ−２フォーマットがデコード可能であり、映像処理装置１２０では、ＳＤフォーマット及びＳＤＬフォーマットがデコード可能であることを検出する。
【００３７】
ステップＳ３０２：再生部１０２は、ユーザによって選択された複数の映像データを記録媒体１０１から順次再生する。
【００３８】
ステップＳ３０３：制御部１０５は、図２のステップＳ２０４及びステップＳ２１０と同様に、記憶媒体１０１から再生された映像データのデータフォーマットの種類を判別する。映像データのデータフォーマットがＳＤフォーマットである場合、本フローチャートはステップＳ３０４に進む。映像データのデータフォーマットがＳＤＬフォーマットである場合、本フローチャートはステップＳ３０５に進む。映像データのデータフォーマットがＭＰＥＧ−２フォーマットである場合、本フローチャートはステップＳ３０６に進む。
【００３９】
ステップＳ３０４：ディジタルインターフェース１０４は、記憶媒体１０１から再生されたＳＤデータを映像処理装置１１０及び映像処理装置１２０に送信する。映像処理装置１１０は、映像処理装置１００から送信されたＳＤデータをリアルタイムにデコードし、その結果を表示器１１４に表示する。また、映像処理装置１２０も、映像処理装置１００から送信されたＳＤデータをリアルタイムにデコードし、その結果を表示器１２４に表示する。ユーザは、映像処理装置１１０の表示器１１４または映像処理装置１２０の表示器１２４に表示された映像を見ることにより、記憶媒体１０１から再生されたＳＤデータの内容をリアルタイムに確認することができる。
【００４０】
ステップＳ３０５：ディジタルインターフェース１０４は、記憶媒体１０１から再生されたＳＤＬデータを映像処理装置１２０に送信するとともに、メモリ１０３から読み出された第１の警告映像データを映像処理装置１１０に送信する。第１の警告映像データは、ＳＤＬデータの再生が終了するまでの期間、映像処理装置１００から映像処理装置１１０に繰り返し送信される。ＳＤＬデータは、ディジタルインターフェース１０４とディジタルインターフェース１２１との間を第１のアイソクロナスチャネルを介してアイソクロナス転送され、第１の警告映像データは、ディジタルインターフェース１０４とディジタルインターフェース１１１との間を第２のアイソクロナスチャネルを介してアイソクロナス転送される。映像処理装置１２０は、映像処理装置１００から送信されたＳＤＬデータをリアルタイムにデコードし、その結果を表示器１２４に表示する。ユーザは、表示器１２４に表示された映像を見ることにより、記憶媒体１０１から再生されたＳＤＬデータの内容をリアルタイムに確認することができる。一方、映像処理装置１１０は、第１の警告映像データをデコードし、その結果を表示器１１４に表示する。表示器１１４には、例えば、図４（ａ）に示すような警告映像が表示されるので、表示器１１４に映像が表示されなくなった原因をユーザに通知することができる。
【００４１】
ステップＳ３０６：ディジタルインターフェース１０４は、記憶媒体１０１から再生されたＭＰＥＧ−２データを映像処理装置１１０に送信するとともに、メモリ１０３から読み出された第２の警告映像データを映像処理装置１２０に送信する。警告映像データは、ＭＰＥＧ−２データの再生が終了するまでの期間、映像処理装置１００から映像処理装置１２０に繰り返し送信される。ＭＰＥＧ−２データは、ディジタルインターフェース１０４とディジタルインターフェース１１１との間を第１のアイソクロナスチャネルを介してアイソクロナス転送され、第２の警告映像データは、ディジタルインターフェース１０４とディジタルインターフェース１２１との間を第２のアイソクロナスチャネルを介してアイソクロナス転送される。映像処理装置１１０は、映像処理装置１００から送信されたＭＰＥＧ−２データをリアルタイムにデコードし、その結果を表示器１１４に表示する。ユーザは、表示器１１４に表示された映像を見ることにより、記憶媒体１０１から再生されたＭＰＥＧ−２データの内容をリアルタイムに確認することができる。一方、映像処理装置１２０は、第２の警告映像データをデコードし、その結果を表示器１２４に表示する。表示器１２４には、例えば、図４（ｂ）に示すような警告映像が表示されるので、表示器１２４に映像が表示されなくなった原因をユーザに通知することができる。
【００４２】
ステップＳ３０７：制御部１０５は、記憶媒体１０１の再生を終了するか否かを判別する。次に再生する映像データがある場合、本フローチャートはステップＳ３０３に進む。一方、記憶媒体１０１の再生を終了する場合、本フローチャートは終了する。
【００４３】
以上説明したように、本実施の形態における映像処理装置１００によれば、記憶媒体１０１から再生された映像データのデータフォーマットが映像処理装置１１０または映像処理装置１２０でデコード可能でないデータフォーマット（即ち、ＳＤＬフォーマットまたはＭＰＥＧ−２フォーマット）である場合、その映像データの替わりに第１の警告映像データまたは第２の警告映像データを映像処理装置１１０または映像処理装置１２０に送信することができるので、表示器１１４または表示器１２４に映像が表示されなくなった原因をユーザに通知することができる。
【００４４】
本実施の形態では、上述の映像処理装置１００、１１０、１２０をＩＥＥＥ１３９４−１９９５規格に準拠したディジタルインターフェースを介して接続するシステムについて説明したが、本発明はこのようなシステムに限定されるものではない。本発明は、上述の映像処理装置１００、１１０、１２０をＩＥＥＥ１３９４−１９９５規格の拡張規格（例えば、ＩＥＥＥ１３９４ａ−２０００規格、ＩＥＥＥ１３９４．ｂ規格など）に準拠したディジタルインターフェースを介して接続するシステムにも、上述の映像処理装置をＩＥＥＥ１３９４−１９９５規格以外の規格に準拠したディジタルインターフェースを介して接続するシステムにも適用可能である。
【００４５】
また、本実施の形態では、映像処理装置１１０でデコード可能でないデータフォーマットをＳＤＬフォーマットとし、映像処理装置１２０でデコード可能でないデータフォーマットをＭＰＥＧ−２フォーマットとする場合について説明したが、他のデータフォーマット（例えば、ＤＶ規格のＨＤフォーマット、ＭＰＥＧ−４フォーマット）であってもよい。
【００４６】
また、本実施の形態では、警告映像データのデータフォーマットがＳＤフォーマットである場合について説明したが、受信側の映像処理装置でデコード可能なデータフォーマットであれば、ＳＤフォーマット以外のデータフォーマットであってもよい。
【００４７】
【発明の効果】
本発明によれば、受信側の映像処理装置の表示器に送信側の映像処理装置が再生している映像が表示されなくなった原因をユーザに通知することができる。
【図面の簡単な説明】
【図１】本実施の形態における映像処理システムの構成を説明する図である。
【図２】本実施の形態における映像処理システムの処理手順の一例を説明する図である。
【図３】本実施の形態における映像処理システムの処理手順の他の一例を説明する図である。
【図４】警告映像データの一例を示す図である。
【図５】従来のＡＶシステムの一例を示す図である。
【符号の説明】
１００，１１０，１２０  映像処理装置
１０１  記憶媒体
１０２  再生部
１０３  メモリ
１０４，１１１，１２１  ディジタルインターフェース
１０５  制御部
１１２，１２２  ＳＤデコーダ
１１３  ＭＰＥＧ−２デコーダ
１１４，１２４  表示器
１２３  ＳＤＬデコーダ
【図１】
0004185682.tif 000002
【図２】
0004185682.tif 000003
【図３】
0004185682.tif 000004
【図４】
0004185682.tif 000005
【図５】
0004185682.tif 000006